(57)【要約】開示されるものは、無線リソース制御（ＲＲＣ）状態遷移方法、端末、集中型ユニット（ＣＵ）、分散型ユニット（ＤＵ）、およびコンピュータ可読記憶媒体である。ＲＲＣ状態遷移方法は、端末が、現在の状態からＲＲＣ接続状態に変化すると、端末が、既存のシグナリング無線ベアラ（ＳＲＢ）構成を使用することによってＲＲＣ接続を再開することを要求することと、端末が、分散型ユニット（ＤＵ）から、ＲＲＣ接続を再開する要求のための応答を受信するとき、応答が、新たに配分されたＳＲＢ構成を含む場合、端末が、既存のＳＲＢ構成を新たに配分されたＳＲＢ構成と置換し、ＲＲＣ接続を再開することとを含む。【選択図】図１
2021513283.tif 000002
【特許請求の範囲】
【請求項１】
無線リソース制御（ＲＲＣ）状態遷移方法であって、
端末が、現在の状態からＲＲＣ接続状態に変化する場合において、前記端末によって、既存のシグナリング無線ベアラ（ＳＲＢ）構成を使用することによってＲＲＣ接続を再開することを要求することと、
前記端末が、分散型ユニット（ＤＵ）から、前記ＲＲＣ接続を再開する要求に関する応答を受信する場合において、前記応答が、新たに配分されたＳＲＢ構成を含むことを判定することに応答して、前記端末によって、前記既存のＳＲＢ構成を前記新たに配分されたＳＲＢ構成と置換し、前記ＲＲＣ接続を再開することと
を含む、ＲＲＣ状態遷移方法。
【請求項２】
前記方法はさらに、
前記端末が、前記現在の状態からＲＲＣ非アクティブ状態に変化する場合において、前記端末によって、以下の動作：
パケットデータ収束プロトコル（ＰＤＣＰ）構成、無線リンク制御（ＲＬＣ）構成、および論理チャネル構成を解放すること、
前記ＰＤＣＰ構成、前記ＲＬＣ構成、および前記論理チャネル構成を保存すること、または
前記ＰＤＣＰ構成を保存し、前記ＲＬＣ構成および前記論理チャネル構成を解放すること
のうちのいずれかを実施することを含む、請求項１に記載のＲＲＣ状態遷移方法。
【請求項３】
前記既存のＳＲＢ構成は、デフォルトＰＤＣＰ構成と、デフォルトＲＬＣ構成と、デフォルト論理チャネル構成とを含み、
または
前記既存のＳＲＢ構成は、前記保存されたＰＤＣＰ構成と、前記保存されたＲＬＣ構成と、前記保存された論理チャネル構成とを含み、
または
前記既存のＳＲＢ構成は、前記保存されたＰＤＣＰ構成と、デフォルトＲＬＣ構成と、デフォルト論理チャネル構成とを含む、請求項２に記載のＲＲＣ状態遷移方法。
【請求項４】
前記新たに配分されたＳＲＢ構成は、以下：集中型ユニット（ＣＵ）によって新たに配分されるＰＤＣＰ構成、前記ＤＵによって新たに配分されるＲＬＣ構成、または前記ＤＵによって新たに配分される論理チャネル構成のうちのいずれか１つもしくはそれらの融合物を含む、請求項１に記載のＲＲＣ状態遷移方法。
【請求項５】
端末であって、
プロセッサと、前記プロセッサに接続されたメモリとを備え、
前記プロセッサは、前記メモリの中に記憶される無線リソース制御（ＲＲＣ）状態遷移プログラムを実行し、請求項１〜４のいずれか１項に記載のＲＲＣ状態遷移方法のステップを実装するように構成されている、端末。
【請求項６】
１つ以上のプログラムを記憶するように構成されているコンピュータ可読記憶媒体であって、前記１つ以上のプログラムは、１つ以上のプロセッサによって実行されると、請求項１〜４のいずれか１項に記載のＲＲＣ状態遷移方法のステップを実装する、コンピュータ可読記憶媒体。
【請求項７】
無線リソース制御（ＲＲＣ）状態遷移方法であって、
分散型ユニット（ＤＵ）が、端末からＲＲＣ接続を再開するための要求を受信する場合において、前記ＤＵによって、前記端末のための新しいシグナリング無線ベアラ（ＳＲＢ）構成を配分し、前記要求を集中型ユニット（ＣＵ）に転送することと、
前記ＤＵによって、前記ＣＵによって返される第１の応答を受信することであって、前記第１の応答は、新たに配分されたＳＲＢ構成および／または前記ＣＵによって事前に保存されたＳＲＢ構成を含む、ことと、
前記ＤＵによって、デフォルトＳＲＢ構成および／または前記ＣＵによって事前に保存された前記ＳＲＢ構成を使用することによって、第２の応答を前記端末に返すことと、
前記ＤＵによって、前記第１の応答の中の前記ＳＲＢ構成を使用することによって前記端末のＲＲＣ接続を再開することと
を含む、ＲＲＣ状態遷移方法。
【請求項８】
前記第１の応答の中の前記ＳＲＢ構成は、以下：前記ＣＵによって新たに配分された前記ＳＲＢ構成の一部、前記ＤＵによって新たに配分された前記ＳＲＢ構成の一部、前記ＣＵによって事前に保存された前記ＳＲＢ構成の一部、または前記ＣＵによって事前に保存されたＳＲＢ構成全体のうちの少なくとも１つを含む、請求項７に記載のＲＲＣ状態遷移方法。
【請求項９】
前記第２の応答は、以下：前記ＣＵによって新たに配分されたパケットデータ収束プロトコル（ＰＤＣＰ）構成、前記ＤＵによって新たに配分された無線リンク制御（ＲＬＣ）構成、または前記ＤＵによって新たに配分された論理チャネル構成のうちのいずれか１つまたはそれらの融合物を含む、請求項７に記載のＲＲＣ状態遷移方法。
【請求項１０】
分散型ユニットであって、
プロセッサと、前記プロセッサに接続されたメモリとを備え、
前記プロセッサは、前記メモリの中に記憶されるＲＲＣ状態遷移プログラムを実行し、請求項７〜９のいずれか１項に記載のＲＲＣ状態遷移方法のステップを実装するように構成されている、分散型ユニット。
【請求項１１】
１つ以上のプログラムを記憶するように構成されているコンピュータ可読記憶媒体であって、前記１つ以上のプログラムは、１つ以上のプロセッサによって実行されると、請求項７〜９のいずれか１項に記載のＲＲＣ状態遷移方法のステップを実装する、コンピュータ可読記憶媒体。
【請求項１２】
無線リソース制御（ＲＲＣ）状態遷移方法であって、
集中型ユニット（ＣＵ）によって、分散型ユニット（ＤＵ）から、端末のＲＲＣ接続を再開するための要求の通知を受信することと、
前記ＣＵによって、前記端末のための新しいパケットデータ収束プロトコル（ＰＤＣＰ）構成を配分し、前記新たに配分されたＰＤＣＰ構成を前記ＤＵに送信することと
を含む、ＲＲＣ状態遷移方法。
【請求項１３】
前記方法はさらに、前記ＣＵが、前記端末をＲＲＣ非アクティブ状態に変化させる場合において、前記端末の前記ＰＤＣＰ構成を解放することを含む、請求項１２に記載のＲＲＣ状態遷移方法。
【請求項１４】
無線リソース制御（ＲＲＣ）状態遷移方法であって、
集中型ユニット（ＣＵ）によって、分散型ユニット（ＤＵ）から、端末のＲＲＣ接続を再開するための要求の通知を受信することと、
前記ＣＵによって、前記端末の事前に保存されたシグナリング無線ベアラ（ＳＲＢ）構成を前記ＤＵに送信することと
を含む、ＲＲＣ状態遷移方法。
【請求項１５】
前記方法はさらに、前記ＣＵが、前記端末をＲＲＣ非アクティブ状態に変化させる場合において、前記端末の前記ＳＲＢ構成を保存することを含む、請求項１４に記載のＲＲＣ状態遷移方法。
【請求項１６】
前記保存されたＳＲＢ構成は、以下：パケットデータ収束プロトコル（ＰＤＣＰ）構成、無線リンク制御（ＲＬＣ）構成、または論理チャネル構成のうちのいずれか１つもしくはそれらの融合物を含む、請求項１５に記載のＲＲＣ状態遷移方法。
【請求項１７】
集中型ユニットであって、
プロセッサと、メモリとを備え、
前記プロセッサは、前記メモリの中に記憶されるＲＲＣ状態遷移プログラムを実行し、請求項１２〜１６のいずれか１項に記載のＲＲＣ状態遷移方法のステップを実装するように構成されている、集中型ユニット。
【請求項１８】
１つ以上のプログラムを記憶するように構成されているコンピュータ可読記憶媒体であって、前記１つ以上のプログラムは、１つ以上のプロセッサによって実行されると、請求項１２〜１６のいずれか１項に記載のＲＲＣ状態遷移方法のステップを実装する、コンピュータ可読記憶媒体。
【発明の詳細な説明】
【技術分野】
【０００１】
（関連出願の相互参照）
本願は、その開示が、参照することによってその全体として本明細書に組み込まれる、２０１８年２月９日に出願された、中国特許出願第２０１８１０１３５８９０．５号の優先権を主張する。
【０００２】
（技術分野）
本願は、限定ではないが、無線通信の技術分野に関し、より具体的には、無線リソース制御（ＲＲＣ）状態遷移方法、端末、集中型ユニット（ＣＵ）、分散型ユニット（ＤＵ）、およびコンピュータ可読記憶媒体に関する。
【背景技術】
【０００３】
（背景）
５Ｇ新無線（ＮＲ）は、直交周波数分割多重方式（ＯＦＤＭ）に基づいて新しい無線エアインターフェース規格を判定する、第３世代パートナーシッププロジェクト（３ＧＰＰ）の進行中の研究プロジェクトであり、次世代モバイルネットワークの基礎となるであろう。３ＧＰＰによって定義される５Ｇの適用シナリオは、主に、拡張モバイルブロードバンド（ｅＭＢＢ）、超信頼性低遅延通信（ＵＲＬＬＣ）、および大規模マシンタイプ通信（ｍＭＴＣ）を含む。３つの適用シナリオは、待ち時間、カバレッジ、および信頼性に関して異なる要件を有し、すなわち、ｅＭＢＢは、高いピーク伝送率に重点を置き、低遅延要件と、中程度の信頼性要件とを有し、ＵＲＬＬＣは、低遅延ならびに高信頼性の伝送に重点を置き、ｍＭＴＣは、多数の端末および高接続密度に重点を置き、より大きい伝送カバレッジを要求し、遅延要件は殆ど有していない。
【０００４】
可能な限りデータ伝送遅延を低減させ、ユーザ状態の移行によって引き起こされるシグナリングオーバーヘッドを低減させ、端末の電力消費量を低減させるために、新しいＲＲＣ状態、すなわち、ＲＲＣ非アクティブ状態が、５Ｇシステムに導入される。ＲＲＣ非アクティブ状態は、５Ｇコアネットワーク（ＮＧコア）に対して不可視である。コアネットワークは、端末が、依然として接続されていると考え、５Ｇ基地局（ｇＮＢ）は、端末がもはやダウンリンク制御チャネルを常時監視する必要がなくなるように、ＵＥのＲＲＣ接続を解放し得る。本状態では、ユーザプレーンと制御プレーンとの間の接続は、ｇＮＢとＮＧコアとの間に維持され、ＵＥ側は、データが、伝送され、受信されているとき、エアインターフェース接続が、可能な限り迅速に再開され得るように、必要なコンテキスト情報を保存する。
【０００５】
同時に、伝送容量、伝送遅延、および展開のし易さの視点から、５Ｇシステムは、２つの論理ネットワーク要素、すなわち、ＣＵおよびＤＵの中にｇＮＢを再構築するために集中型ユニット／分散型ユニット分離の技術を導入する。ＣＵおよびＤＵは、シナリオならびに要件に従って、ともに、または別個に展開され得、ＲＲＣエンティティ、パケットデータ収束プロトコル（ＰＤＣＰ）エンティティ、およびサービスデータ適合プロトコル（ＳＤＡＰ）エンティティが、ＣＵ側に設けられ、無線リンク制御（ＲＬＣ）エンティティ、媒体アクセス制御（ＭＡＣ）エンティティ、ならびに物理層エンティティが、ＤＵ側に設けられる。ＣＵおよびＤＵ側はそれぞれ、端末コンテキストを維持し、処理する。
【０００６】
現在、ＮＲ規格の議論では、ＣＵ／ＤＵ分離の場合におけるＲＲＣ非アクティブ状態と接続状態との間の遷移を達成する方法に関して、実効的なソリューションが、提案されていない。
【発明の概要】
【発明が解決しようとする課題】
【０００７】
（要約）
本願は、ＲＲＣ状態遷移方法、端末、集中型ユニット、分散型ユニット、およびコンピュータ可読記憶媒体を提供する。
【課題を解決するための手段】
【０００８】
本願のある実施形態は、ＲＲＣ状態遷移方法を提供し、本方法は、以下のステップを含む。
【０００９】
端末が、現在の状態からＲＲＣ接続状態に変化すると、端末は、既存のシグナリング無線ベアラ（ＳＲＢ）構成を使用することによってＲＲＣ接続を再開することを要求する。
【００１０】
端末が、ＤＵから、ＲＲＣ接続を再開する要求に関する応答を受信するとき、応答が、新たに配分されたＳＲＢ構成を含む場合、端末は、既存のＳＲＢ構成を新たに配分されたＳＲＢ構成と置換し、ＲＲＣ接続を再開する。
【００１１】
本願のある実施形態はさらに、端末を提供し、端末は、プロセッサと、プロセッサに接続される、メモリとを含む。
【００１２】
プロセッサは、メモリの中に記憶されるＲＲＣ状態遷移プログラムを実行し、上記のいずれか１項に記載のＲＲＣ状態遷移方法のステップを実装するように構成される。
【００１３】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００１４】
本願のある実施形態はさらに、ＲＲＣ状態遷移方法を提供し、本方法は、以下のステップを含む。
【００１５】
ＤＵが、端末からＲＲＣ接続を再開するための要求を受信すると、ＤＵは、端末のための新しいＳＲＢ構成を配分し、要求をＣＵに転送する。
【００１６】
ＤＵは、ＣＵによって返される第１の応答を受信し、第１の応答は、新たに配分されたＳＲＢ構成および／またはＣＵによって事前に保存されたＳＲＢ構成を含む。
【００１７】
ＤＵは、デフォルトＳＲＢ構成および／またはＣＵによって事前に保存されたＳＲＢ構成を使用することによって、第２の応答を端末に返す。
【００１８】
ＤＵは、第１の応答の中のＳＲＢ構成を使用することによって端末のＲＲＣ接続を再開する。
【００１９】
本願のある実施形態はさらに、分散型ユニットを提供し、分散型ユニットは、プロセッサと、プロセッサに接続される、メモリとを含む。
【００２０】
プロセッサは、メモリの中に記憶されるＲＲＣ状態遷移プログラムを実行し、上記のいずれか１項に記載のＲＲＣ状態遷移方法のステップを実装するように構成される。
【００２１】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００２２】
本願のある実施形態はさらに、ＲＲＣ状態遷移方法を提供し、本方法は、以下のステップを含む。
【００２３】
ＣＵは、ＤＵから、端末のＲＲＣ接続を再開するための要求の通知を受信する。
【００２４】
ＣＵは、端末のための新しいＰＤＣＰ構成を配分し、新たに配分されたＰＤＣＰ構成をＤＵに送信する。
【００２５】
本願のある実施形態はさらに、集中型ユニットを提供し、集中型ユニットは、プロセッサと、プロセッサに接続される、メモリとを含む。
【００２６】
プロセッサは、メモリの中に記憶されるＲＲＣ状態遷移プログラムを実行し、上記のいずれか１項に記載のＲＲＣ状態遷移方法のステップを実装するように構成される。
【００２７】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００２８】
本願に提供されるＲＲＣ状態遷移方法、端末、集中型ユニット、分散型ユニット、およびコンピュータ可読記憶媒体は、既存のＳＲＢ構成要求を使用することによってＲＲＣ接続を再開する。ＲＲＣ接続を再開することに基づいてＤＵまたは次世代基地局（ｇＮＢ）等のネットワーク要素によって返される応答が、新たに配分されたＳＲＢ構成を含むとき、新たに配分されたＳＲＢ構成は、既存のＳＲＢ構成を置換し、ＲＲＣ接続を再開するために使用され、端末のＲＲＣ非アクティブ状態および接続状態は、ＣＵ／ＤＵが、分離されると、切り替えられ得る。
【図面の簡単な説明】
【００２９】
【図１】図１は、本願のある実施形態による、ＲＲＣ状態遷移方法のフローチャートを図示する略図である。
【図２】図２は、本願のある実施形態による、ＲＲＣ状態遷移方法のフローチャートを図示する略図である。
【図３】図３は、本願のある実施形態による、ＲＲＣ状態遷移方法のフローチャートを図示する略図である。
【図４】図４は、本願のある実施形態による、ＲＲＣ状態遷移方法のフローチャートを図示する略図である。
【図５】図５は、本願のある実施形態による、ＲＲＣ状態遷移プロセスを図示する概略図である。
【図６】図６は、本願のある実施形態による、ＲＲＣ状態遷移プロセスを図示する概略図である。
【図７】図７は、本願のある実施形態による、ＲＲＣ状態遷移プロセスを図示する概略図である。
【図８】図８は、本願のある実施形態による、ＲＲＣ状態遷移プロセスを図示する概略図である。
【発明を実施するための形態】
【００３０】
（詳細な説明）
本願の技術的ソリューションをより明確にするために、本願の実施形態は、図面を参照して以下に詳細に説明されるであろう。
【００３１】
図１に示されるように、本願によるＲＲＣ状態遷移方法は、以下のステップを含む。
【００３２】
ステップ１０１では、端末が、現在の状態からＲＲＣ接続状態に変化すると、端末は、既存のシグナリング無線ベアラ（ＳＲＢ）構成要求を使用することによってＲＲＣ接続を再開する。例えば、端末は、ＲＲＣ接続を再開することを要求し得るが、ＤＵに対する要求は含まない。
【００３３】
本願のある実施形態では、現在の状態は、ＲＲＣ非アクティブ状態である。
【００３４】
ロングタームエボリューション（ＬＴＥ）では、端末が、ＲＲＣ接続が確立されているかどうかに従って２つの状態、すなわち、アイドル状態（ＩＤＬＥ）と接続状態とに分類されることに留意されたい。５Ｇシステムでは、新しいＲＲＣ状態、すなわち、ＲＲＣ非アクティブ状態が、導入される。
【００３５】
本願のある実施形態では、ＳＲＢ構成は、ＳＲＢ１構成である。
【００３６】
ＬＴＥでは、特別な無線ベアラ（ＲＢ）として、ＳＲＢのみが、ＲＲＣおよび非アクセス層（ＮＡＳ）メッセージを伝送するために使用されることに留意されたい。３ＧＰＰプロトコル３６．３３１では、ＳＲＢのための伝送チャネルが、定義される。
【００３７】
ＳＲＢ０が、ＲＲＣメッセージを伝送するために使用され、共通制御チャネル（ＣＣＣＨ）上で伝送される。
【００３８】
ＳＲＢ１が、（ピギーバックされたＮＡＳメッセージを含み得る）ＲＲＣメッセージを伝送するために使用される。ＳＲＢ２ベアラの確立に先立って、ＳＲＢ１は、ＳＲＢ２より高い優先度を有する。ＳＲＢ１は、専用制御チャネル（ＤＣＣＨ）上で伝送される。
【００３９】
ＳＲＢ２が、ＮＡＳメッセージを伝送するために使用される。ＳＲＢ２は、ＳＲＢ１より低い優先度を有し、ＳＲＢ２は、常時、セキュリティモードがアクティブ化された後、構成される。ＳＲＢ２は、論理チャネルＤＣＣＨ上で伝送される。
【００４０】
いくつかの実施形態では、本方法はさらに、以下のステップを含む。
【００４１】
端末が、現在の状態からＲＲＣ非アクティブ状態に変化すると、端末は、以下の動作のうちのいずれかを実施する。
【００４２】
ＰＤＣＰ構成、ＲＬＣ構成、および論理チャネル構成が、解放される。
【００４３】
ＰＤＣＰ構成、ＲＬＣ構成、および論理チャネル構成が、保存される。
【００４４】
ＰＤＣＰ構成が、保存され、ＲＬＣ構成および論理チャネル構成が、解放される。
【００４５】
いくつかの実施形態では、既存のＳＲＢ構成は、デフォルトＰＤＣＰ構成と、デフォルトＲＬＣ構成と、デフォルト論理チャネル構成とを含む、または既存のＳＲＢ構成は、保存されたＰＤＣＰ構成と、保存されたＲＬＣ構成と、保存された論理チャネル構成を含む、もしくは既存のＳＲＢ構成は、保存されたＰＤＣＰ構成と、デフォルトＲＬＣ構成と、デフォルト論理チャネル構成とを含む。
【００４６】
例えば、いくつかの実施形態では、端末が、ＰＤＣＰ構成、ＲＬＣ構成、および論理チャネル構成を解放すると、既存のＳＲＢ構成は、デフォルトＰＤＣＰ構成と、デフォルトＲＬＣ構成と、デフォルト論理チャネル構成とを含み、端末が、ＰＤＣＰ構成、ＲＬＣ構成、および論理チャネル構成を保存すると、既存のＳＲＢ構成は、保存されたＰＤＣＰ構成と、保存されたＲＬＣ構成と、保存された論理チャネル構成とを含み、端末が、ＰＤＣＰ構成を保存し、ＲＬＣ構成、および論理チャネル構成を解放すると、既存のＳＲＢ構成は、保存されたＰＤＣＰ構成と、デフォルトＲＬＣ構成と、デフォルト論理チャネル構成とを含む。
【００４７】
ステップ１０２では、端末が、ＤＵから、ＲＲＣ接続を再開する要求に関する応答を受信するとき、応答が、新たに配分されたＳＲＢ構成を含む場合、端末は、既存のＳＲＢ構成を新たに配分されたＳＲＢ構成と置換し、ＲＲＣ接続を再開する。
【００４８】
いくつかの実施形態では、本方法はさらに、以下のステップを含む。
【００４９】
ステップ１０３では、新たに配分されたＳＲＢ構成が、応答の中に含まれない場合、端末は、既存のＳＲＢ構成を使用し、ＲＲＣ接続を再開する。
【００５０】
端末のＲＲＣ接続を再開するための要求に対してＤＵによって送信される応答が、端末のＲＲＣ接続を回復するための要求に対する、ＤＵによって転送される、ＣＵの応答であることに留意されたい。
【００５１】
端末およびＣＵが、それぞれ、端末のＰＤＣＰ構成、ＲＬＣ構成、ならびに論理チャネル構成を予め保存するとき、応答は、新たに配分されたＳＲＢ構成を含まない。
【００５２】
端末およびＣＵが、それぞれ、端末のＳＲＢ構成の一部を予め保存するとき、または端末およびＣＵが、端末のＳＲＢ構成のいかなるものも予め保存しないとき、応答は、新たに配分されたＳＲＢ構成の一部もしくはＳＲＢ構成全体を含む。
【００５３】
本願のある実施形態では、応答は、ＲＲＣ接続再開メッセージである。
【００５４】
いくつかの実施形態では、新たに配分されるＳＲＢ構成は、以下：ＣＵによって新たに配分されるＰＤＣＰ構成、ＤＵによって新たに配分されるＲＬＣ構成、またはＤＵによって新たに配分される論理チャネル構成のうちのいずれか１つもしくはそれらの融合物を含む。
【００５５】
本願のある実施形態はさらに、端末を提供し、端末は、プロセッサと、メモリとを含み、メモリは、プロセッサに接続され、例えば、メモリは、バスまたは同等物を通してメモリに接続されてもよい。
【００５６】
プロセッサは、メモリの中に記憶されるＲＲＣ状態遷移プログラムを実行し、上記のいずれか１項に記載のＲＲＣ状態遷移方法のステップを実装するように構成される。
【００５７】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００５８】
図２に示されるように、本願によるＲＲＣ状態遷移方法は、以下のステップを含む。
【００５９】
ステップ２０１では、ＤＵが、端末からＲＲＣ接続を再開するための要求を受信すると、ＤＵは、端末のための新しいＳＲＢ構成を配分し、要求をＣＵに転送する。
【００６０】
本願のある実施形態では、ＤＵは、初期アップリンク（ＵＬ）ＲＲＣメッセージを通してＣＵに要求を転送する。
【００６１】
ＤＵは、端末が、現在の状態からＲＲＣ非アクティブ状態に変化すると端末のＳＲＢ構成を解放するため、端末が、ＲＲＣ接続を再開することを要求すると、ＤＵが、端末のための新しいＳＲＢ構成を再配分する必要があることに留意されたい。
【００６２】
ステップ２０２では、ＤＵは、ＣＵによって返される第１の応答を受信し、第１の応答は、新たに配分されたＳＲＢ構成および／またはＣＵによって事前に保存されたＳＲＢ構成を含む。
【００６３】
本願のある実施形態では、第１の応答は、ＵＥコンテキスト設定要求メッセージおよび／またはダウンリンク（ＤＬ）ＲＲＣメッセージ転送メッセージである。
【００６４】
例えば、ＣＵが、ＳＲＢ構成の一部（例えば、ＰＤＣＰ構成）を保存すると、ＣＵは、ダウンリンクＲＲＣ転送メッセージを通してＤＵに保存されたＳＲＢ構成を送信し、ダウンリンクＲＲＣ転送メッセージは、ＲＲＣ接続再開メッセージを含む。ＲＲＣ接続再開メッセージは、ＣＵによって保存されたＳＲＢ構成を含む。ＣＵによって送信されたダウンリンクＲＲＣ転送メッセーを受信した後、ＤＵは、ダウンリンクＲＲＣ転送メッセージの中のＲＲＣ接続再開メッセージを入手し、そのＲＲＣ接続再開メッセージを端末に送信する。
【００６５】
ＣＵが、ＳＲＢ構成全体（すなわち、ＰＤＣＰ構成、ＲＬＣ構成、および論理チャネル構成）を保存すると、ＣＵは、ＵＥコンテキスト確立要求メッセージを通してＤＵに保存されたＳＲＢ構成全体を送信する。
【００６６】
いくつかの実施形態では、第１の応答の中のＳＲＢ構成は、以下：ＣＵによって新たに配分されたＳＲＢ構成の一部、ＤＵによって新たに配分されたＳＲＢ構成の一部、ＣＵによって事前に保存されたＳＲＢ構成の一部、またはＣＵによって事前に保存されたＳＲＢ構成全体のうちの少なくとも１つを含む。
【００６７】
ステップ２０３では、ＤＵは、デフォルトＳＲＢ構成および／またはＣＵによって事前に保存されたＳＲＢ構成を使用することによって、第２の応答を端末に返す。
【００６８】
本願のある実施形態では、ＤＵは、（デフォルトＲＬＣ構成と、デフォルト論理チャネル構成とを含む）デフォルトＳＲＢ構成を使用し、ＣＵは、デフォルトＳＲＢ構成を使用し、第２の応答を端末に返す。
【００６９】
本願のある実施形態では、ＤＵは、（デフォルトＲＬＣ構成と、デフォルト論理チャネル構成とを含む）デフォルトＳＲＢ構成および／またはＣＵによって事前に保存されたＰＤＣＰ構成を使用することによって、第２の応答を端末に返す。
【００７０】
本願のある実施形態では、ＤＵは、ＣＵによって事前に保存されたＰＤＣＰ構成、ＲＬＣ構成、および論理チャネル構成を使用することによって、第２の応答を端末に返す（本時点において、第２の応答は、ＣＵまたはＤＵによって新たに配分されたＳＲＢ構成を含んでもよい、もしくはＣＵまたはＤＵによって新たに配分されたＳＲＢ構成を含まなくてもよい）。
【００７１】
例えば、ＣＵが、端末のいかなるＳＲＢ構成も予め保存しないとき、ＤＵは、（デフォルトＰＤＣＰ構成と、デフォルトＲＬＣ構成と、デフォルト論理チャネル構成とを含む）デフォルトＳＲＢ構成を使用することによって、第２の応答を端末に返す。ＣＵが、単に、端末のＰＤＣＰ構成を予め保存するとき、ＤＵは、（デフォルトＲＬＣ構成と、デフォルト論理チャネル構成とを含む）デフォルトＳＲＢ構成、およびＣＵによって事前に保存されたＰＤＣＰ構成を使用することによって、第２の応答を端末に返す。ＣＵが、端末のＰＤＣＰ構成、ＲＬＣ構成、および論理チャネル構成を予め保存するとき、ＤＵは、ＣＵによって事前に保存されたＰＤＣＰ構成、ＲＬＣ構成、および論理チャネル構成を使用することによって、第２の応答を端末に返す（本時点において、第２の応答は、ＣＵまたはＤＵによって新たに配分されたＳＲＢ構成を含んでもよい、もしくはＣＵまたはＤＵによって新たに配分されたＳＲＢ構成を含まなくてもよい）。
【００７２】
本願のある実施形態では、第２の応答は、ＲＲＣ接続再開メッセージである。
【００７３】
いくつかの実施形態では、第２の応答は、以下：ＣＵによって新たに配分されたＰＤＣＰ構成、ＤＵによって新たに配分されたＲＬＣ構成、またはＤＵによって新たに配分された論理チャネル構成のうちのいずれか１つもしくはそれらの融合物を含む。
【００７４】
ステップ２０４では、ＤＵは、第１の応答の中のＳＲＢ構成を使用することによって端末のＲＲＣ接続を再開する。
【００７５】
本願のある実施形態では、ＤＵは、ＤＵによって新たに配分されたＳＲＢ構成の一部を使用することによって端末のＲＲＣ接続を回復する。
【００７６】
本願のある実施形態では、ＤＵは、ＣＵによって事前に保存されたＳＲＢ構成の一部または全てを使用することによって端末のＲＲＣ接続を回復する。
【００７７】
本願のある実施形態はさらに、分散型ユニット（ＤＵ）を提供し、分散型ユニットは、プロセッサと、プロセッサに接続される、メモリとを含む。
【００７８】
プロセッサは、メモリの中に記憶されるＲＲＣ状態遷移プログラムを実行し、上記のいずれか１項に記載のＲＲＣ状態遷移方法のステップを実装するように構成される。
【００７９】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００８０】
図３に示されるように、本願によるＲＲＣ状態遷移方法は、以下のステップを含む。
【００８１】
ステップ３０１では、ＣＵが、ＤＵから、端末のＲＲＣ接続を再開するための要求の通知を受信する。
【００８２】
いくつかの実施形態では、本方法はさらに、以下のステップを含む。
【００８３】
ＣＵが、端末をＲＲＣ非アクティブ状態に変化させると、端末のＰＤＣＰ構成が、解放される。
【００８４】
ステップ３０２では、ＣＵは、端末のための新しいＰＤＣＰ構成を配分し、新たに配分されたＰＤＣＰ構成をＤＵに送信する。
【００８５】
本願のある実施形態では、ＣＵは、ダウンリンクＲＲＣ転送メッセージを通して、新たに配分されたＰＤＣＰ構成をＤＵに送信する。
【００８６】
図４に示されるように、本願によるＲＲＣ状態遷移方法は、以下のステップを含む。
【００８７】
ステップ４０１では、ＣＵが、ＤＵから、端末のＲＲＣ接続を再開するための要求の通知を受信する。
【００８８】
いくつかの実施形態では、本方法はさらに、以下のステップを含む。
【００８９】
ＣＵが、端末をＲＲＣ非アクティブ状態に変化させると、端末のＳＲＢ構成が、保存される。
【００９０】
いくつかの実施形態では、保存されたＳＲＢ構成は、以下：ＰＤＣＰ構成、ＲＬＣ構成、または論理チャネル構成のうちのいずれか１つもしくはそれらの融合物を含む。
【００９１】
ステップ４０２では、ＣＵは、端末の事前に保存されたＳＲＢ構成をＤＵに送信する。
【００９２】
本願のある実施形態では、ＣＵが、ＳＲＢ構成の一部（例えば、ＰＤＣＰ構成）を保存するとき、ＣＵは、ダウンリンクＲＲＣ転送メッセージを通して保存されたＳＲＢ構成をＤＵに送信し、ダウンリンクＲＲＣ転送メッセージは、ＲＲＣ接続再開メッセージを含む。ＲＲＣ接続再開メッセージは、ＣＵによって保存されたＳＲＢ構成を含み、ＣＵによって送信されたダウンリンクＲＲＣ転送メッセージを受信した後、ＤＵは、ダウンリンクＲＲＣ転送メッセージの中のＲＲＣ接続再開メッセージを入手し、接続再開メッセージを端末に送信する。
【００９３】
本願のある実施形態では、ＣＵが、ＳＲＢ構成全体（すなわち、ＰＤＣＰ構成、ＲＬＣ構成、および論理チャネル構成）を保存するとき、ＣＵは、ＤＵに関連する保存されたＳＲＢ構成全体（すなわち、ＲＬＣ構成、論理チャネル構成）をＤＵに送信する。
【００９４】
本願のある実施形態はさらに、ＣＵを提供し、ＣＵは、プロセッサと、メモリとを含む。
【００９５】
プロセッサは、メモリの中に記憶されるＲＲＣ状態遷移プログラムを実行し、上記のいずれか１項に記載のＲＲＣ状態遷移方法のステップを実装するように構成される。
【００９６】
本願のある実施形態はさらに、コンピュータ可読記憶媒体を提供し、コンピュータ可読記憶媒体は、１つ以上のプロセッサによって実行されると、上記のいずれか１項に記載のＲＲＣ状態遷移方法のステップを実装する、１つ以上のプログラムを記憶する。
【００９７】
実施例が、適用をさらに説明するために下記に提供されるが、実施例は、適用のより明確な説明のためにすぎず、適用に不適切な限界を成すものではないことが注目に値する。以下の実施例のそれぞれにおけるユーザ機器（ＵＥ）が、端末として理解され得ることに留意されたい。
【００９８】
図５に示されるように、実施例では、ＲＲＣ状態遷移プロセスは、以下のステップを含む。
【００９９】
ステップ５０１では、基地局側が、ＵＥをＲＲＣ非アクティブ状態に解放することを決定すると、ＣＵ側が、ＳＲＢ１  ＰＤＣＰ関連の構成およびリソースを留保し、ダウンリンクＲＲＣ転送メッセージをＤＵに送信し、ダウンリンクＲＲＣ転送メッセージは、ＲＲＣ接続解放メッセージを搬送する。
【０１００】
ステップ５０２では、ＤＵは、ＲＲＣ接続解放メッセージをＵＥに送信し、メッセージを受信した後、ＵＥは、ＲＲＣ非アクティブ状態に入り、ＳＲＢ１のためのＰＤＣＰ関連の構成およびリソースのみが、留保される。
【０１０１】
ステップ５０３では、ＣＵは、ＵＥコンテキスト解放コマンドメッセージをＤＵに送信する。ＵＥコンテキスト解放コマンドメッセージは、ＤＵにＵＥコンテキスト情報を解放するように命令するために使用される。
【０１０２】
ステップ５０４では、ステップ５０３においてメッセージを受信した後、ＤＵは、ＳＲＢ１の関連する構成およびリソースならびに他のコンテキスト情報を解放し、ＵＥコンテキスト解放完了メッセージをＣＵに送信する。
【０１０３】
ステップ５０５では、ＵＥが、ＲＲＣ非アクティブ状態からＲＲＣ接続状態に遷移する必要があるとき、ＵＥは、基地局側とランダムアクセスチャネル（ＲＡＣＨ）プロセスを実施する必要がある。
【０１０４】
ステップ５０６では、ＲＡＣＨプロセスの後、ＵＥは、ＲＲＣ接続再開要求メッセージを基地局に送信する。
【０１０５】
ステップ５０７では、ＵＥによって送信されたＲＲＣ接続再開要求メッセージを受信した後、ＵＥが、正常に承認された場合、ＤＵは、（ＲＬＣ構成と、論理チャネル構成とを含む）新しいＳＲＢ１リソースをＵＥに配分し、初期アップリンクＲＲＣメッセージをＣＵに送信する。
【０１０６】
ステップ５０８では、ＣＵは、ＵＥコンテキストを確立するようにＤＵをトリガする。
【０１０７】
ステップ５０９では、ＤＵは、他の対応する構成およびリソースをＵＥに配分し、ＣＵに通知する。
【０１０８】
ステップ５１０では、ＣＵは、ＵＥのために再配分されたリソースをエンコードし、ＤＬ  ＲＲＣ転送メッセージを通してそのリソースをＤＵに送信する。ＤＬ  ＲＲＣ転送メッセージは、ＲＲＣ接続再開メッセージを搬送する。
【０１０９】
ステップ５１１では、メッセージを受信した後、ＤＵは、プロトコルデフォルトＳＲＢ１  ＲＬＣおよび論理チャネルの構成ならびにリソースを使用することによって、ＲＲＣ接続再開メッセージを端末に送信する。ＲＲＣ接続再開メッセージは、ＤＵによってＵＥのために配分された（ＲＬＣ構成と、論理チャネル構成とを含む）新しいＳＲＢ１リソースを搬送する。
【０１１０】
ステップ５１２では、ＵＥは、留保されたＳＲＢ１  ＰＤＣＰ構成およびデフォルトＳＲＢ１  ＲＬＣならびに論理チャネル構成に従って、基地局によって送信されたＲＲＣ接続再開メッセージを分析し、プロトコルデフォルトＳＲＢ１構成リソースを、メッセージの中で搬送される（ＲＬＣ構成と、論理チャネル構成とを含む）新しいＳＲＢ１リソースと置換し、（ＲＬＣ構成と、論理チャネル構成とを含む）新しいＳＲＢ１リソースおよび留保されたＳＲＢ１  ＰＤＣＰ構成の構成を使用し、ＲＲＣ接続再開完了メッセージを送信する。
【０１１１】
ステップ５１３では、新たに配分されたＳＲＢ１リソースを使用することによってＲＲＣ接続再開完了メッセージを受信した後、ＤＵ側は、ＵＬ  ＲＲＣ転送メッセージを通してＲＲＣ接続再開完了メッセージをＣＵに送信する。
【０１１２】
上記のプロセスでは、ステップ５０１におけるＤＬ  ＲＲＣメッセージ転送メッセージおよびステップ５０３におけるＵＥコンテキスト解放コマンドメッセージがまた、１つのメッセージに融合され得ることに留意されたい。融合されたメッセージは、現在のメッセージが、ＵＥコンテキスト情報を解放するために使用されることを直接示し得る。ステップ５０４におけるＵＥコンテキスト解放完了メッセージは、ステップ５０１および５０３におけるメッセージ融合条件に従って判定され得る。すなわち、ステップ５０１およびステップ５０３において融合されるメッセージが、ＵＥコンテキスト解放コマンドであるとき、ステップ５０４におけるＵＥコンテキスト解放コマンド完了メッセージが、要求され、ステップ５０１およびステップ５０３において融合されるメッセージが、ＤＬ  ＲＲＣメッセージ転送であるとき、ステップ５０４におけるＵＥコンテキスト解放コマンド完了メッセージは、要求されない。
【０１１３】
図６に示されるように、実施例では、ＲＲＣ状態遷移プロセスは、以下のステップを含む。
【０１１４】
ステップ６０１では、基地局側が、ＵＥをＲＲＣ非アクティブ状態に解放することを決定すると、ＣＵ側が、ＳＲＢ１  ＰＤＣＰ関連の構成およびリソースを解放し、ＤＬ  ＲＲＣ転送メッセージをＤＵに送信し、ＤＬ  ＲＲＣ転送メッセージは、ＲＲＣ接続解放メッセージを搬送する。
【０１１５】
ステップ６０２では、ＤＵは、ＲＲＣ接続解放メッセージをＵＥに送信し、メッセージを受信した後、ＵＥは、ＲＲＣ非アクティブ状態に入り、ＳＲＢ１の構成およびリソース全てを解放する。
【０１１６】
ステップ６０３では、ＣＵは、ＵＥコンテキスト解放コマンドメッセージをＤＵに送信し、ＤＵにＵＥコンテキスト情報を解放するように命令する。
【０１１７】
ステップ６０４では、ステップ６０３においてメッセージを受信した後、ＤＵは、ＳＲＢ１の関連する構成およびリソースならびに他のコンテキスト情報を解放し、ＵＥコンテキスト解放完了メッセージをＣＵに送信する。
【０１１８】
ステップ６０５では、ＵＥが、ＲＲＣ非アクティブ状態からＲＲＣ接続状態に遷移する必要があるとき、ＵＥは、基地局側とＲＡＣＨプロセスを実施する必要がある。
【０１１９】
ステップ６０６では、ＲＡＣＨプロセスの後、ＵＥは、ＲＲＣ接続再開要求メッセージを基地局に送信する。
【０１２０】
ステップ６０７では、ＵＥによって送信されたＲＲＣ接続再開要求メッセージを受信した後、ＵＥが、正常に承認された場合、ＤＵは、（ＲＬＣ構成と、論理チャネル構成とを含む）新しいＳＲＢ１リソースをＵＥに配分し、初期ＵＬ  ＲＲＣメッセージをＣＵに送信する。
【０１２１】
ステップ６０８では、ＣＵは、ＵＥコンテキストを確立するようにＤＵをトリガする。
【０１２２】
ステップ６０９では、ＤＵは、他の対応する構成およびリソースをＵＥに配分し、ＣＵに通知する。
【０１２３】
ステップ６１０では、ＣＵは、ＵＥのために（ＰＤＣＰ構成を含む）新しいＳＲＢ１  ＰＤＣＰリソースを配分し、ＵＥに再配分されたリソースをエンコードし、ＤＬ  ＲＲＣ転送メッセージを通してそのリソースをＤＵに送信し、ＤＬ  ＲＲＣ転送メッセージは、ＲＲＣ接続再開メッセージを搬送する。
【０１２４】
ステップ６１１では、メッセージを受信した後、ＤＵは、プロトコルデフォルトＳＲＢ１  ＲＬＣおよび論理チャネルの構成ならびにリソースを使用することによって、ＲＲＣ接続再開メッセージを端末に送信する。ＲＲＣ接続再開メッセージは、ＤＵによってＵＥのために配分された（ＲＬＣ構成と、論理チャネル構成とを含む）新しいＳＲＢ１リソースを搬送する。
【０１２５】
ステップ６１２では、ＵＥは、デフォルトＳＲＢ１  ＰＤＣＰ、ＲＬＣ、論理チャネル構成に従って、基地局によって送信されたＲＲＣ接続再開メッセージを分析し、プロトコルデフォルトＳＲＢ１構成リソースを、メッセージの中で搬送される（ＰＤＣＰ構成と、ＲＬＣ構成と、論理チャネル構成とを含む）新たに配分されたＳＲＢ１リソースと置換し、（ＰＤＣＰ構成と、ＲＬＣ構成と、論理チャネル構成とを含む）新たに配分されたＳＲＢ１リソースを使用し、ＲＲＣ接続再開完了メッセージを送信する。
【０１２６】
ステップ６１３では、新たに配分されたＳＲＢ１リソースを使用することによってＲＲＣ接続再開完了メッセージを受信した後、ＤＵ側は、ＵＬ  ＲＲＣ転送メッセージを通してＲＲＣ接続再開完了メッセージをＣＵに送信する。
【０１２７】
上記のプロセスでは、ステップ６０１におけるＤＬ  ＲＲＣメッセージ転送メッセージおよびステップ６０３におけるＵＥコンテキスト解放コマンドメッセージがまた、１つのメッセージに融合され得ることに留意されたい。融合されたメッセージは、現在のメッセージが、ＵＥコンテキスト情報を解放するために使用されることを直接示し得る。ステップ６０４におけるＵＥコンテキスト解放完了メッセージは、ステップ６０１および６０３におけるメッセージ融合条件に従って判定され得る。すなわち、ステップ６０１およびステップ６０３において融合されるメッセージが、ＵＥコンテキスト解放コマンドであるとき、ステップ６０４におけるＵＥコンテキスト解放コマンド完了メッセージが、要求され、ステップ６０１およびステップ６０３において融合されるメッセージが、ＤＬ  ＲＲＣメッセージ転送であるとき、ステップ６０４におけるＵＥコンテキスト解放コマンド完了メッセージは、要求されない。
【０１２８】
図７に示されるように、実施例では、ＲＲＣ状態遷移プロセスは、以下のステップを含む。
【０１２９】
ステップ７０１では、基地局側が、ＵＥをＲＲＣ非アクティブ状態に解放することを決定すると、ＣＵ側が、ＳＲＢ１  ＰＤＣＰ関連の構成およびリソースを保存し、ＤＵによって配分された（ＲＬＣ構成と、論理チャネル構成とを含む）ＳＲＢ１の構成ならびにリソースを記憶し、ＤＬ  ＲＲＣ転送メッセージをＤＵに送信し、ＤＬ  ＲＲＣ転送メッセージは、ＲＲＣ接続解放メッセージを搬送する。
【０１３０】
ステップ７０２では、ＤＵは、ＲＲＣ接続解放メッセージをＵＥに送信し、メッセージを受信した後、ＵＥは、ＲＲＣ非アクティブ状態に入り、ＳＲＢ１の（ＰＤＣＰ構成と、ＲＬＣ構成と、論理チャネル構成とを含む）関連する構成およびリソース全てを留保する。
【０１３１】
ステップ７０３では、ＣＵは、ＵＥコンテキスト解放コマンドメッセージをＤＵに送信し、ＤＵにＵＥコンテキスト情報を解放するように命令する。
【０１３２】
ステップ７０４では、ステップ７０３においてＵＥコンテキスト解放コマンドメッセージを受信した後、ＤＵは、ＳＲＢ１の関連する構成およびリソースならびに他のコンテキスト情報を解放し、ＵＥコンテキスト解放完了メッセージをＣＵに送信する。
【０１３３】
ステップ７０５では、ＵＥが、ＲＲＣ非アクティブ状態からＲＲＣ接続状態に遷移する必要があるとき、ＵＥは、基地局側とＲＡＣＨプロセスを実施する必要がある。
【０１３４】
ステップ７０６では、ＲＡＣＨプロセスの後、ＵＥは、ＲＲＣ接続再開要求メッセージを基地局に送信する。
【０１３５】
ステップ７０７では、ＵＥによって送信されたＲＲＣ接続再開要求メッセージを受信した後、ＵＥが、正常に承認された場合、ＤＵは、（ＲＬＣ構成と、論理チャネル構成とを含む）新しいＳＲＢ１リソースをＵＥに配分し、初期ＵＬ  ＲＲＣメッセージをＣＵに送信する。
【０１３６】
ステップ７０８では、ＣＵは、ＵＥコンテキストを確立するようにＤＵをトリガし、同時に、ＵＥが保留されたときに留保されたＳＲＢ１リソースを搬送する。
【０１３７】
ステップ７０９では、ＤＵは、新たに配分されたＳＲＢ１リソースを留保されたＳＲＢ１リソースと置換し、他の対応する構成およびリソースをＵＥのために配分し、ＵＥコンテキスト設定応答メッセージを通して構成ならびにリソースをＣＵに送信する。
【０１３８】
ステップ７１０では、ＣＵは、ＵＥに再配分されたリソースをエンコードし、ＤＬ  ＲＲＣ転送メッセージを通してそのリソースをＤＵに送信し、ＤＬ  ＲＲＣ転送メッセージは、ＲＲＣ接続再開メッセージを搬送する。
【０１３９】
ステップ７１１では、メッセージを受信した後、ＤＵは、ＵＥが保留されたときの留保されたＳＲＢ１構成およびリソースを使用することによって、ＲＲＣ接続再開メッセージを端末に送信する。
【０１４０】
ステップ７１２では、ＵＥは、留保されたＳＲＢ１  ＰＤＣＰ、ＲＬＣ、および論理チャネル構成に従って、基地局によって送信されたＲＲＣ接続再開メッセージを構文解析し、ＲＲＣ接続再開完了メッセージを送信する。
【０１４１】
ステップ７１３では、ＲＲＣ接続再開完了メッセージを受信した後、ＤＵ側は、ＵＬ  ＲＲＣ転送メッセージを通してＲＲＣ接続再開完了メッセージをＣＵに送信する。
【０１４２】
上記のプロセスでは、ステップ７０１におけるＤＬ  ＲＲＣメッセージ転送メッセージおよびステップ７０３におけるＵＥコンテキスト解放コマンドメッセージがまた、１つのメッセージに融合され得ることに留意されたい。融合されたメッセージは、現在のメッセージが、ＵＥコンテキスト情報を解放するために使用されることを直接示し得る。ステップ７０４におけるＵＥコンテキスト解放完了メッセージは、ステップ７０１および７０３におけるメッセージ融合条件に従って判定され得る。すなわち、ステップ７０１およびステップ７０３において融合されるメッセージが、ＵＥコンテキスト解放コマンドであるとき、ステップ７０４におけるＵＥコンテキスト解放コマンド完了メッセージが、要求され、ステップ７０１およびステップ７０３において融合されるメッセージが、ＤＬ  ＲＲＣメッセージ転送であるとき、ステップ７０４におけるＵＥコンテキスト解放コマンド完了メッセージは、要求されない。
【０１４３】
図８に示されるように、実施例では、ＲＲＣ状態遷移プロセスは、以下のステップを含む。
【０１４４】
ステップ８０１では、基地局側が、ＵＥをＲＲＣ非アクティブ状態に解放することを決定すると、ＣＵ側が、ＳＲＢ１  ＰＤＣＰ関連の構成およびリソースを保存し、ＤＵによって配分された（ＲＬＣ構成と、論理チャネル構成とを含む）ＳＲＢ１の構成ならびにリソースを記憶し、ＤＬ  ＲＲＣ転送メッセージをＤＵに送信し、ＤＬ  ＲＲＣ転送メッセージは、ＲＲＣ接続解放メッセージを搬送する。
【０１４５】
ステップ８０２では、ＤＵは、ＲＲＣ接続解放メッセージをＵＥに送信し、メッセージを受信した後、ＵＥは、ＲＲＣ非アクティブ状態に入り、ＳＲＢ１の（ＰＤＣＰ構成と、ＲＬＣ構成と、論理チャネル構成とを含む）関連する構成およびリソース全てを留保する。
【０１４６】
ステップ８０３では、ＣＵは、ＵＥコンテキスト解放コマンドメッセージをＤＵに送信し、ＤＵにＵＥコンテキスト情報を解放するように命令する。
【０１４７】
ステップ８０４では、ステップ８０３においてＵＥコンテキスト解放コマンドメッセージを受信した後、ＤＵは、ＳＲＢ１の関連する構成およびリソースならびに他のコンテキスト情報を解放し、ＵＥコンテキスト解放完了メッセージをＣＵに送信する。
【０１４８】
ステップ８０５では、ＵＥが、ＲＲＣ非アクティブ状態からＲＲＣ接続状態に遷移する必要があるとき、ＵＥは、基地局側とＲＡＣＨプロセスを実施する必要がある。
【０１４９】
ステップ８０６では、ＲＡＣＨプロセスの後、ＵＥは、ＲＲＣ接続再開要求メッセージを基地局に送信する。
【０１５０】
ステップ８０７では、ＵＥによって送信されたＲＲＣ接続再開要求メッセージを受信した後、ＵＥが、正常に承認された場合、ＤＵは、（ＲＬＣ構成と、論理チャネル構成とを含む）新しいＳＲＢ１リソースをＵＥに配分し、初期ＵＬ  ＲＲＣメッセージをＣＵに送信する。
【０１５１】
ステップ８０８では、ＣＵは、ＵＥコンテキストを確立するようにＤＵをトリガし、同時に、ＵＥが保留されたときに留保されたＳＲＢ１リソースを搬送する。
【０１５２】
ステップ８０９では、ＤＵは、留保されたＳＲＢ１リソースおよび新たに配分されたＳＲＢ１リソースを記憶し、同時に、他の対応する構成ならびにリソースをＵＥのために配分し、ＵＥコンテキスト設定応答メッセージを通して構成およびリソースをＣＵに送信する。
【０１５３】
ステップ８１０では、ＣＵは、ＵＥに再配分されたリソースをエンコードし、ＤＬ  ＲＲＣ転送メッセージを通してそのリソースをＤＵに送信し、ＤＬ  ＲＲＣ転送メッセージは、ＲＲＣ接続再開メッセージを搬送する。
【０１５４】
ステップ８１１では、メッセージを受信した後、ＤＵは、ＵＥが保留されたときの留保されたＳＲＢ１構成およびリソースを使用することによって、ＲＲＣ接続再開メッセージをスケジューリングする。ＲＲＣ接続再開メッセージは、ＤＵによってＵＥのために配分された（ＲＬＣ構成と、論理チャネル構成とを含む）新しいＳＲＢ１リソースを搬送する。
【０１５５】
ステップ８１２では、ＵＥは、留保されたＳＲＢ１  ＰＤＣＰ、ＲＬＣ、論理チャネル構成に従って、基地局によって送信されたＲＲＣ接続再開メッセージを分析し、留保されたＳＲＢ１構成リソースを、メッセージの中に搬送される（ＰＤＣＰ構成と、ＲＬＣ構成と、論理チャネル構成とを含む）新たに配分されたＳＲＢ１リソースと置換し、（ＰＤＣＰ構成と、ＲＬＣ構成と、論理チャネル構成を含む）新たに配分されたＳＲＢ１リソースを使用し、ＲＲＣ接続再開完了メッセージを送信する。
【０１５６】
ステップ８１３では、新たに配分されたＳＲＢ１リソースを使用することによってＲＲＣ接続再開完了メッセージを受信した後、ＤＵ側は、ＵＬ  ＲＲＣ転送メッセージを通してＲＲＣ接続再開完了メッセージをＣＵに送信する。
【０１５７】
上記のプロセスでは、ステップ８０１におけるＤＬ  ＲＲＣメッセージ転送メッセージおよびステップ８０３におけるＵＥコンテキスト解放コマンドメッセージがまた、１つのメッセージに融合され得ることに留意されたい。融合されたメッセージは、現在のメッセージが、ＵＥコンテキスト情報を解放するために使用されることを直接示し得る。ステップ８０４におけるＵＥコンテキスト解放完了メッセージは、ステップ８０１および８０３におけるメッセージ融合条件に従って判定され得る。すなわち、ステップ８０１およびステップ８０３において融合されるメッセージが、ＵＥコンテキスト解放コマンドであるとき、ステップ８０４におけるＵＥコンテキスト解放コマンド完了メッセージが、要求され、ステップ８０１およびステップ８０３において融合されるメッセージが、ＤＬ  ＲＲＣメッセージ転送であるとき、ステップ８０４におけるＵＥコンテキスト解放コマンド完了メッセージは、要求されない。
【０１５８】
本願に提供されるＲＲＣ状態遷移方法は、ＣＵ／ＤＵ分離の場合におけるＲＲＣ非アクティブ状態と接続状態との間の遷移を実現することができる。同時に、本願はまた、ＵＥの移動に起因して、基地局が基地局の間でＵＥコンテキスト情報を入手する状況にも適用可能である。ＵＥが、原基地局のカバレッジエリアから新しい基地局のカバレッジエリアに移動すると、新しい基地局は、原基地局からＵＥのコンテキスト情報を入手する。新しい基地局が、ＵＥをＲＲＣ接続状態からＲＲＣ非アクティブ状態に解放する、またはＲＲＣ非アクティブ状態からＲＲＣ接続状態に遷移させることを決定すると、本願のＲＲＣ状態遷移方法が、遷移のために使用され得る。
【０１５９】
上記に説明される方法における全てまたはいくつかのステップが、プログラムによって命令されるように、関連するハードウェアによって実装され得、プログラムが、読取専用メモリ、磁気ディスク、光ディスク、もしくは同等物等のコンピュータ可読記憶媒体の中に記憶され得ることが、当業者によって理解されるはずである。いくつかの実施形態では、上記の実施形態におけるステップの全てまたは一部もまた、１つ以上の集積回路を使用することによって実装され得る。故に、上記の実施形態における各モジュール／ユニットは、ハードウェアまたはソフトウェア機能モジュールの形態で実装され得る。本願は、ハードウェアおよびソフトウェアのいかなる具体的な融合物にも限定されない。
【０１６０】
上記は、本願の好ましい実施形態にすぎず、本願を限定することを意図しておらず、当業者のために、本願は、種々の修正および変形例を有し得る。本願の精神および原理の範囲内に成されるいかなる修正、均等な代替物、改良、ならびに同等物も、本願の範囲内にあるものとする。
【図１】
2021513283.tif 000003
【図２】
2021513283.tif 000004
【図３】
2021513283.tif 000005
【図４】
2021513283.tif 000006
【図５】
2021513283.tif 000007
【図６】
2021513283.tif 000008
【図７】
2021513283.tif 000009
【図８】
2021513283.tif 000010
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
無線リソース制御（ＲＲＣ）状態遷移方法であって、
端末からＲＲＣ接続を再開するための要求を受信することに応答して、分散型ユニット（ＤＵ）によって、前記端末のための新しいシグナリング無線ベアラ（ＳＲＢ）構成を配分することと、
前記ＤＵによって、前記要求を集中型ユニット（ＣＵ）に転送することと、
前記ＤＵによって、前記ＣＵから第１の応答を受信することであって、前記第１の応答は、前記ＣＵによって記憶されたＳＲＢ構成を含む、ことと、
前記ＲＲＣ接続を再開するための前記要求に応答して、前記ＤＵによって、前記ＣＵから第２の応答を受信することと、
前記ＤＵによって、デフォルトＳＲＢ構成を使用して前記第２の応答を前記端末に転送することと、
前記ＤＵによって、前記第１の応答の中の前記ＳＲＢ構成を使用することによって前記端末のＲＲＣ接続を再開することと
を含む、ＲＲＣ状態遷移方法。
【請求項２】
前記新しいＳＲＢ構成は、無線リンク制御（ＲＬＣ）構成および論理チャネル構成を含む、請求項１に記載のＲＲＣ状態遷移方法。
【請求項３】
前記ＣＵによって記憶されたＳＲＢ構成は、無線リンク制御（ＲＬＣ）構成および論理チャネル構成を含む、請求項１に記載のＲＲＣ状態遷移方法。
【請求項４】
前記デフォルトＳＲＢ構成は、デフォルト無線リンク制御（ＲＬＣ）構成およびデフォルト論理チャネル構成を含む、請求項１に記載のＲＲＣ状態遷移方法。
【請求項５】
前記ＳＲＢ構成は、ＳＲＢ１構成を含む、請求項１に記載のＲＲＣ状態遷移方法。
【請求項６】
無線リソース制御（ＲＲＣ）状態遷移方法であって、
集中型ユニット（ＣＵ）によって、分散型ユニット（ＤＵ）から、ＲＲＣ接続を再開するための端末からの要求を受信することであって、前記ＤＵは、前記要求に応答して、前記端末のための新しいシグナリング無線ベアラ（ＳＲＢ）構成を配分する、ことと、
前記ＣＵによって、前記ＣＵによって記憶されたＳＲＢ構成を含む第１の応答を前記ＤＵに送信することと、
前記ＣＵによって、前記ＲＲＣ接続を再開するための前記要求に応答して、第２の応答を前記ＤＵに送信することと
を含み、
前記端末は、デフォルトＳＲＢ構成を使用して前記ＤＵから前記第２の応答を受信する、ＲＲＣ状態遷移方法。
【請求項７】
前記新しいＳＲＢ構成は、無線リンク制御（ＲＬＣ）構成および論理チャネル構成を含む、請求項６に記載のＲＲＣ状態遷移方法。
【請求項８】
前記ＣＵによって記憶されたＳＲＢ構成は、無線リンク制御（ＲＬＣ）構成および論理チャネル構成を含む、請求項６に記載のＲＲＣ状態遷移方法。
【請求項９】
前記デフォルトＳＲＢ構成は、デフォルト無線リンク制御（ＲＬＣ）構成およびデフォルト論理チャネル構成を含む、請求項６に記載のＲＲＣ状態遷移方法。
【請求項１０】
前記ＳＲＢ構成は、ＳＲＢ１構成を含む、請求項６に記載のＲＲＣ状態遷移方法。
【請求項１１】
分散型ユニット（ＤＵ）であって、請求項１〜５のいずれか１項に記載のステップを実装するように構成されている、少なくとも１つのプロセッサを備える、分散型ユニット。
【請求項１２】
集中型ユニット（ＣＵ）であって、請求項６〜１０のいずれか１項に記載のステップを実装するように構成されている、少なくとも１つのプロセッサを備える、集中型ユニット。
【手続補正２】
【補正対象書類名】明細書
【補正対象項目名】００２８
【補正方法】変更
【補正の内容】
【００２８】
本願に提供されるＲＲＣ状態遷移方法、端末、集中型ユニット、分散型ユニット、およびコンピュータ可読記憶媒体は、既存のＳＲＢ構成要求を使用することによってＲＲＣ接続を再開する。ＲＲＣ接続を再開することに基づいてＤＵまたは次世代基地局（ｇＮＢ）等のネットワーク要素によって返される応答が、新たに配分されたＳＲＢ構成を含むとき、新たに配分されたＳＲＢ構成は、既存のＳＲＢ構成を置換し、ＲＲＣ接続を再開するために使用され、端末のＲＲＣ非アクティブ状態および接続状態は、ＣＵ／ＤＵが、分離されると、切り替えられ得る。
本願明細書は、例えば、以下の項目も提供する。
（項目１）
無線リソース制御（ＲＲＣ）状態遷移方法であって、
端末が、現在の状態からＲＲＣ接続状態に変化する場合において、前記端末によって、既存のシグナリング無線ベアラ（ＳＲＢ）構成を使用することによってＲＲＣ接続を再開することを要求することと、
前記端末が、分散型ユニット（ＤＵ）から、前記ＲＲＣ接続を再開する要求に関する応答を受信する場合において、前記応答が、新たに配分されたＳＲＢ構成を含むことを判定することに応答して、前記端末によって、前記既存のＳＲＢ構成を前記新たに配分されたＳＲＢ構成と置換し、前記ＲＲＣ接続を再開することと
を含む、ＲＲＣ状態遷移方法。
（項目２）
前記方法はさらに、
前記端末が、前記現在の状態からＲＲＣ非アクティブ状態に変化する場合において、前記端末によって、以下の動作：
パケットデータ収束プロトコル（ＰＤＣＰ）構成、無線リンク制御（ＲＬＣ）構成、および論理チャネル構成を解放すること、
前記ＰＤＣＰ構成、前記ＲＬＣ構成、および前記論理チャネル構成を保存すること、または
前記ＰＤＣＰ構成を保存し、前記ＲＬＣ構成および前記論理チャネル構成を解放すること
のうちのいずれかを実施することを含む、項目１に記載のＲＲＣ状態遷移方法。
（項目３）
前記既存のＳＲＢ構成は、デフォルトＰＤＣＰ構成と、デフォルトＲＬＣ構成と、デフォルト論理チャネル構成とを含み、
または
前記既存のＳＲＢ構成は、前記保存されたＰＤＣＰ構成と、前記保存されたＲＬＣ構成と、前記保存された論理チャネル構成とを含み、
または
前記既存のＳＲＢ構成は、前記保存されたＰＤＣＰ構成と、デフォルトＲＬＣ構成と、デフォルト論理チャネル構成とを含む、項目２に記載のＲＲＣ状態遷移方法。
（項目４）
前記新たに配分されたＳＲＢ構成は、以下：集中型ユニット（ＣＵ）によって新たに配分されるＰＤＣＰ構成、前記ＤＵによって新たに配分されるＲＬＣ構成、または前記ＤＵによって新たに配分される論理チャネル構成のうちのいずれか１つもしくはそれらの融合物を含む、項目１に記載のＲＲＣ状態遷移方法。
（項目５）
端末であって、
プロセッサと、前記プロセッサに接続されたメモリとを備え、
前記プロセッサは、前記メモリの中に記憶される無線リソース制御（ＲＲＣ）状態遷移プログラムを実行し、項目１〜４のいずれか１項に記載のＲＲＣ状態遷移方法のステップを実装するように構成されている、端末。
（項目６）
１つ以上のプログラムを記憶するように構成されているコンピュータ可読記憶媒体であって、前記１つ以上のプログラムは、１つ以上のプロセッサによって実行されると、項目１〜４のいずれか１項に記載のＲＲＣ状態遷移方法のステップを実装する、コンピュータ可読記憶媒体。
（項目７）
無線リソース制御（ＲＲＣ）状態遷移方法であって、
分散型ユニット（ＤＵ）が、端末からＲＲＣ接続を再開するための要求を受信する場合において、前記ＤＵによって、前記端末のための新しいシグナリング無線ベアラ（ＳＲＢ）構成を配分し、前記要求を集中型ユニット（ＣＵ）に転送することと、
前記ＤＵによって、前記ＣＵによって返される第１の応答を受信することであって、前記第１の応答は、新たに配分されたＳＲＢ構成および／または前記ＣＵによって事前に保存されたＳＲＢ構成を含む、ことと、
前記ＤＵによって、デフォルトＳＲＢ構成および／または前記ＣＵによって事前に保存された前記ＳＲＢ構成を使用することによって、第２の応答を前記端末に返すことと、
前記ＤＵによって、前記第１の応答の中の前記ＳＲＢ構成を使用することによって前記端末のＲＲＣ接続を再開することと
を含む、ＲＲＣ状態遷移方法。
（項目８）
前記第１の応答の中の前記ＳＲＢ構成は、以下：前記ＣＵによって新たに配分された前記ＳＲＢ構成の一部、前記ＤＵによって新たに配分された前記ＳＲＢ構成の一部、前記ＣＵによって事前に保存された前記ＳＲＢ構成の一部、または前記ＣＵによって事前に保存されたＳＲＢ構成全体のうちの少なくとも１つを含む、項目７に記載のＲＲＣ状態遷移方法。
（項目９）
前記第２の応答は、以下：前記ＣＵによって新たに配分されたパケットデータ収束プロトコル（ＰＤＣＰ）構成、前記ＤＵによって新たに配分された無線リンク制御（ＲＬＣ）構成、または前記ＤＵによって新たに配分された論理チャネル構成のうちのいずれか１つまたはそれらの融合物を含む、項目７に記載のＲＲＣ状態遷移方法。
（項目１０）
分散型ユニットであって、
プロセッサと、前記プロセッサに接続されたメモリとを備え、
前記プロセッサは、前記メモリの中に記憶されるＲＲＣ状態遷移プログラムを実行し、項目７〜９のいずれか１項に記載のＲＲＣ状態遷移方法のステップを実装するように構成されている、分散型ユニット。
（項目１１）
１つ以上のプログラムを記憶するように構成されているコンピュータ可読記憶媒体であって、前記１つ以上のプログラムは、１つ以上のプロセッサによって実行されると、項目７〜９のいずれか１項に記載のＲＲＣ状態遷移方法のステップを実装する、コンピュータ可読記憶媒体。
（項目１２）
無線リソース制御（ＲＲＣ）状態遷移方法であって、
集中型ユニット（ＣＵ）によって、分散型ユニット（ＤＵ）から、端末のＲＲＣ接続を再開するための要求の通知を受信することと、
前記ＣＵによって、前記端末のための新しいパケットデータ収束プロトコル（ＰＤＣＰ）構成を配分し、前記新たに配分されたＰＤＣＰ構成を前記ＤＵに送信することと
を含む、ＲＲＣ状態遷移方法。
（項目１３）
前記方法はさらに、前記ＣＵが、前記端末をＲＲＣ非アクティブ状態に変化させる場合において、前記端末の前記ＰＤＣＰ構成を解放することを含む、項目１２に記載のＲＲＣ状態遷移方法。
（項目１４）
無線リソース制御（ＲＲＣ）状態遷移方法であって、
集中型ユニット（ＣＵ）によって、分散型ユニット（ＤＵ）から、端末のＲＲＣ接続を再開するための要求の通知を受信することと、
前記ＣＵによって、前記端末の事前に保存されたシグナリング無線ベアラ（ＳＲＢ）構成を前記ＤＵに送信することと
を含む、ＲＲＣ状態遷移方法。
（項目１５）
前記方法はさらに、前記ＣＵが、前記端末をＲＲＣ非アクティブ状態に変化させる場合において、前記端末の前記ＳＲＢ構成を保存することを含む、項目１４に記載のＲＲＣ状態遷移方法。
（項目１６）
前記保存されたＳＲＢ構成は、以下：パケットデータ収束プロトコル（ＰＤＣＰ）構成、無線リンク制御（ＲＬＣ）構成、または論理チャネル構成のうちのいずれか１つもしくはそれらの融合物を含む、項目１５に記載のＲＲＣ状態遷移方法。
（項目１７）
集中型ユニットであって、
プロセッサと、メモリとを備え、
前記プロセッサは、前記メモリの中に記憶されるＲＲＣ状態遷移プログラムを実行し、項目１２〜１６のいずれか１項に記載のＲＲＣ状態遷移方法のステップを実装するように構成されている、集中型ユニット。
（項目１８）
１つ以上のプログラムを記憶するように構成されているコンピュータ可読記憶媒体であって、前記１つ以上のプログラムは、１つ以上のプロセッサによって実行されると、項目１２〜１６のいずれか１項に記載のＲＲＣ状態遷移方法のステップを実装する、コンピュータ可読記憶媒体。
【国際調査報告】
2021513283.tif 000011
2021513283.tif 000012
2021513283.tif 000013
2021513283.tif 000014